(57)【要約】【課題】色むらを抑え、対象物そのものの色を再現させる演色性が高いＬＥＤ照明装置を提供する。【解決手段】第１と第２と第３の白色ＬＥＤ１２ａ，ｂ，ｃと、赤色ＬＥＤ９と緑色ＬＥＤ１０と青色ＬＥＤ１１とを備える。第１の白色ＬＥＤ１２ａと赤色ＬＥＤ９とを直列に接続し、可変抵抗器２により電流を制御し、第２の白色ＬＥＤ１２ｂと緑色ＬＥＤ１０と直列に接続し、可変抵抗器３により電流を制御し、第３の白色ＬＥＤ１２ｃと青色ＬＥＤ１１とを直列に接続し、可変抵抗器４により電流を制御する。赤色ＬＥＤ９と緑色ＬＥＤ１０と青色ＬＥＤ１１とを組み合わせることで白色なる。【選択図】図１
2012181942.tif 000002
【特許請求の範囲】
【請求項１】
白色を発光する第１と第２の白色ＬＥＤと、
白色以外の色を発光する第１と第２の色ＬＥＤとを備えるＬＥＤ照明装置であって、
前記第１の白色ＬＥＤと前記第１の色ＬＥＤとの電流を制御する第１の制御手段と、
前記第２の白色ＬＥＤと前記第２の色ＬＥＤとの電流を制御する第２の制御手段とを備えることを特徴とするＬＥＤ照明装置。
【請求項２】
前記第１の色ＬＥＤと前記第２の色ＬＥＤとは、異なる色をそれぞれ発光することを特徴とする請求項１に記載のＬＥＤ照明装置。
【請求項３】
前記第１の色ＬＥＤと前記第２の色ＬＥＤとを組み合わせることにより白色となることを特徴とする請求項２に記載のＬＥＤ照明装置。
【請求項４】
前記第１の白色ＬＥＤと前記第１の色ＬＥＤとを直列に接続させた第１回路と、
前記第２の白色ＬＥＤと前記第２の色ＬＥＤとを直列に接続させた第２回路とを備え、
前記第１回路と前記第２回路とは並列に接続されていることを特徴とする請求項１ないし３に記載のＬＥＤ照明装置。
【請求項５】
前記第１回路を複数備え、当該複数の第１回路を直列に接続させ、
前記第２回路を複数備え、当該複数の第２回路を直列に接続させることを特徴とする請求項４に記載のＬＥＤ照明装置。
【請求項６】
前記第１の白色ＬＥＤと前記第２の白色ＬＥＤとを実装する第１のモジュールと、
前記第１の色ＬＥＤと前記第２の色ＬＥＤとを実装する第２のモジュールとを備えることを特徴とする請求項１ないし５のいずれかに記載のＬＥＤ照明装置。
【請求項７】
前記第１および第２のモジュールを複数備え、前記第１のモジュールと第２のモジュールとを交互に配置させたことを特徴とする請求項６に記載のＬＥＤ照明装置。
【請求項８】
白色を発光する第３の白色ＬＥＤと、
白色以外の色を発光する第３の色ＬＥＤと、
前記第３の白色ＬＥＤと前記第３の色ＬＥＤとの電流を制御する第３の制御手段とをさらに備えることを特徴とする請求項１、２、４、５、６または７に記載のＬＥＤ照明装置。
【請求項９】
前記第１の色ＬＥＤと前記第２の色ＬＥＤと前記第３の色ＬＥＤとは、異なる色をそれぞれ発光し、前記第１の色ＬＥＤと前記第２の色ＬＥＤと前記第３の色ＬＥＤを組み合わせることにより白色となることを特徴とする請求項８に記載のＬＥＤ照明装置。
【発明の詳細な説明】
【技術分野】
【０００１】
本発明は、室内や店舗で利用され、白色ＬＥＤ（Ｌｉｇｈｔ  Ｅｍｉｔｔｉｎｇ  Ｄｉｏｄｅ：発光ダイオード）を発光させて照明を行うＬＥＤ照明装置に係り、特に、演色性がより優れたＬＥＤ照明装置に関する。
【背景技術】
【０００２】
近年、省エネルギー及び環境の対応から蛍光灯の代わりにＬＥＤを用いた照明装置が用いられるようになっている。室内や店舗で利用される一般照明用のＬＥＤ照明装置としては、複数の白色ＬＥＤを用いた照明装置が種々開発されており、例えば、特許文献１に記載されているようなＬＥＤ照明装置がある。特許文献１に記載のＬＥＤ照明装置は、白色ＬＥＤの発光に対して色むらを抑えるために、隣り合う光源の視輝度値の差に着目したものである。
【先行技術文献】
【特許文献】
【０００３】
【特許文献１】特開２０１０−８０１４５号公報（段落００１８−００２２、図１）
【発明の概要】
【発明が解決しようとする課題】
【０００４】
化粧品や生鮮食料品を扱う各種商業施設向けや、美術館などの展示施設向けの照明装置においては、適切な明るさや色むら、輝度むらを抑えることが必要なだけでなく、照明光として対象物を照らすため、対象物そのものの色を再現させる、いわゆる演色性が高いことが必要となる。演色性が低いと、対象物を照らしたときの色の見え方が本物の色と異なって見えてしまうこととなる。例えば、人であれば肌の色、りんごであれば赤色など、対象物の色味がはっきりと見えるように、演色性を高くすることが照明装置では求められている。
【０００５】
本発明は、このような課題に着目してなされたもので、演色性がより優れたＬＥＤ照明装置を提供することを目的とする。
【課題を解決するための手段】
【０００６】
前記課題を解決するために、本発明のＬＥＤ照明装置は、
白色を発光する第１と第２の白色ＬＥＤと、
白色以外の色を発光する第１と第２の色ＬＥＤとを備えるＬＥＤ照明装置であって、
前記第１の白色ＬＥＤと前記第１の色ＬＥＤとの電流を制御する第１の制御手段と、
前記第２の白色ＬＥＤと前記第２の色ＬＥＤとの電流を制御する第２の制御手段とを備えることを特徴としている。
この特徴によれば、第１の制御手段により、第１の白色ＬＥＤと第１の色ＬＥＤとの電流を一緒に制御することができ、また、第２の制御手段により、第２の白色ＬＥＤと第２の色ＬＥＤとの電流を一緒に制御することができる。これにより、第１、第２の制御手段により、第１、第２の色ＬＥＤのそれぞれの電流を調整することができるので、第１、第２の色ＬＥＤの輝度をそれぞれ調整でき、対象物の色をよりはっきりと見せるように調整することができる。例えば、対象物が赤色のりんごの場合には、第１の色ＬＥＤを赤色とし、より赤色が鮮明に見えるように第１の制御手段と第２の制御手段を調整することができる。これにより、対象物に対応した映える色を照射することができ、演色性をより高めることができる。白色ＬＥＤと色ＬＥＤとを連動させて電流調整するため、色ＬＥＤのみの電流を制御するのに比べて、輝度を確保でき、明るさを落とさずに色合いを変化させることができまた、例えば、同一の電流を流すことで消費電流を低減させることができる。また、第１の白色ＬＥＤおよび第１の色ＬＥＤの輝度調整と、第２の白色ＬＥＤと第２の色ＬＥＤの輝度調整とをそれぞれ行うことができるので、色むらの発生を抑制することができる。さらに、例えば、第１の白色ＬＥＤと第１の色ＬＥＤに同一の大きさの電流を流すことで輝度むらの発生を抑制することができ、第２の白色ＬＥＤと第２の色ＬＥＤに同一の大きさの電流を流すことで輝度むらの発生を抑制することができる。
【０００７】
本発明のＬＥＤ照明装置は、
前記第１の色ＬＥＤと前記第２の色ＬＥＤとは、異なる色をそれぞれ発光することを特徴としている。
この特徴によれば、例えば、照明する対象物の色に応じて、第１、第２の色ＬＥＤを異なる色としてそれぞれ決定しておき、第１、第２の制御手段により、第１、第２の色ＬＥＤのそれぞれの電流を調整することができるので、第１、第２の色ＬＥＤの輝度をそれぞれ調整でき、対象物の色をより鮮明に見せるように調整することができる。これにより、対象物に対応した映える色を照射することができ、演色性をより高めることができる。
【０００８】
本発明のＬＥＤ照明装置は、
前記第１の色ＬＥＤと前記第２の色ＬＥＤとを組み合わせることにより白色となることを特徴としている。
この特徴によれば、第１の色ＬＥＤと第２の色ＬＥＤとを、例えば、互いに補色となるような色（赤色と水色など）としておくことで、これらを組み合わせることで白色となるようにできる。これにより、白色系の色調整を行うことができる。このように、第１・第２の白色ＬＥＤに加えて、第１、第２の色ＬＥＤにより白色となるように構成するので、第１・第２の白色ＬＥＤのみ設ける場合に比べてより帯域の広い、演色性に優れた良質な照明装置とすることができる。
【０００９】
本発明のＬＥＤ照明装置は、
前記第１の白色ＬＥＤと前記第１の色ＬＥＤとを直列に接続させた第１回路と、
前記第２の白色ＬＥＤと前記第２の色ＬＥＤとを直列に接続させた第２回路とを備え、
前記第１回路と前記第２回路とは並列に接続されていることとを特徴としている。
この特徴によれば、第１の白色ＬＥＤと第１の色ＬＥＤとを直列に接続させて第１回路とし、第２の白色ＬＥＤと第２の色ＬＥＤとを直列に接続させて第２回路とすることで、第１、第２の制御手段のそれぞれは、これらの回路の電流制御を簡単に行うことができる。また、第１回路と前記第２回路とを並列に接続させることで、同一の電圧源に接続することができる。また、各回路を並列に接続することで、一つの回路内で断線したような場合でも、他の回路に影響を与えることなく電圧が供給されるので、他の回路の各ＬＥＤは発光し続けることができる。
【００１０】
本発明のＬＥＤ照明装置は、
前記第１回路を複数備え、当該複数の第１回路を直列に接続させ、
前記第２回路を複数備え、当該複数の第２回路を直列に接続させることを特徴としている。
この特徴によれば、第１、第２回路をそれぞれ複数備えることで、より大きな照明装置を構成することができる。複数の第１回路を直列に接続させるため、第１の制御手段は、これらの回路の電流制御を簡単に行うことができ、また、複数の第２回路を直列に接続させるため、第２の制御手段は、これらの回路の電流制御を簡単に行うことができる。
【００１１】
本発明のＬＥＤ照明装置は、
前記第１の白色ＬＥＤと前記第２の白色ＬＥＤとを実装する第１のモジュールと、
前記第１の色ＬＥＤと前記第２の色ＬＥＤとを実装する第２のモジュールとを備えることを特徴としている。
この特徴によれば、第１のモジュールには第１と第２の白色ＬＥＤとを実装し、第２のモジュールには第１と前記第２の色ＬＥＤとを実装した構成とすることができるので、例えば既存のＬＥＤを実装させたパッケージを、そのまま各モジュールとして利用することができる。例えば、第１のモジュールとしては、白色ＬＥＤを少なくとも２つ備えるパッケージを利用することができ、第２のモジュールとしては、赤色ＬＥＤと緑色ＬＥＤを少なくとも備えるパッケージを利用することができる。
【００１２】
本発明のＬＥＤ照明装置は、
前記第１および第２のモジュールを複数備え、前記第１のモジュールと第２のモジュールとを交互に配置させたことを特徴としている。
この特徴によれば、第１および第２のモジュールを複数備えることで、より大きな照明装置を簡単に構成することができる。また、第１のモジュールと第２のモジュールとを交互に配置させることで、輝度むらと、色むらの発生をより抑制することができる。例えば、第１のモジュールと第２のモジュールとを異なる白色を発生させるＬＥＤモジュールとすることで、同一のモジュールを複数設ける場合に比べてより帯域の広い、演色性に優れた良質な照明装置とすることができる。
【００１３】
本発明のＬＥＤ照明装置は、
白色を発光する第３の白色ＬＥＤと、
白色以外の色を発光する第３の色ＬＥＤと、
前記第３の白色ＬＥＤと前記第３の色ＬＥＤとの電流を制御する第３の制御手段とをさらに備えることを特徴としている。
この特徴によれば、第３の制御手段により、第３の白色ＬＥＤと第３の色ＬＥＤとの電流を一緒に制御することができるので、例えば、第３の白色ＬＥＤと第３の色ＬＥＤに同一の電流を流すことで輝度むら、色むらの発生を抑制することができる。
【００１４】
本発明のＬＥＤ照明装置は、
前記第１の色ＬＥＤと前記第２の色ＬＥＤと前記第３の色ＬＥＤとは、異なる色をそれぞれ発光し、前記第１の色ＬＥＤと前記第２の色ＬＥＤと前記第３の色ＬＥＤを組み合わせることにより白色となることを特徴としている。
この特徴によれば、第１〜第３の色ＬＥＤとして、例えば、赤緑青（ＲＧＢ）の３原色のＬＥＤを利用することで、白色系の色調整を行うことができる。赤緑青の３原色を備えることにより、対象物がどのような色であっても適切な色調整を施すことができる。また、前記第３の白色ＬＥＤと前記第３の色ＬＥＤとを直列に接続させた第３回路を備え、前記第１回路と前記第２回路と第３回路とは並列に接続させるようにしてもよい。さらに、前記第３の白色ＬＥＤと前記第３の色ＬＥＤとを直列に接続させた第３回路を複数備え、当該複数の第３回路を直列に接続させ、前記第１回路と前記第２回路と第３回路とは並列に接続させるようにしてもよい。さらに、第２のモジュールとしては、前記第１の色ＬＥＤと前記第２の色ＬＥＤとに加えて、第３の色ＬＥＤを備えるようにしてもよく、第３の色ＬＥＤとしては、例えば、青色ＬＥＤとしてもよい。
【図面の簡単な説明】
【００１５】
【図１】実施例におけるＬＥＤ照明装置の最小回路構成図である。
【図２】実施例におけるＬＥＤ照明装置の最小回路構成図の他の例を示す図である。
【図３】実施例におけるＬＥＤ照明装置の回路を複数設けた場合の回路構成図である。
【図４】実施例におけるＬＥＤ照明装置における色度図である。
【図５】実施例におけるＬＥＤ照明装置の回路を多数設けた場合の回路構成図である。
【図６】実施例における回路構成での接続例を示す説明図である。
【図７】実施例における回路構成での他の接続例を示す説明図である。
【図８】実施例におけるＬＥＤ照明装置のモジュール配置図である。
【発明を実施するための形態】
【００１６】
本発明に係る実施例におけるＬＥＤ照明装置を実施するための形態を実施例に基づいて以下に説明する。
【実施例】
【００１７】
本発明の実施例におけるＬＥＤ照明装置について、図１から図８を参照して説明する。本発明の実施例におけるＬＥＤ照明装置は、例えば、化粧品や生鮮食料品を扱う各種商業施設向け、美術館などの展示施設向け、飲食物を取り扱うレストラン施設向けなどの照明装置に利用されるものであり、特に、対象物の色味がはっきりと見えるように、演色性がより高くなるよう制御できるものである。
【００１８】
図１に、実施例におけるＬＥＤ照明装置の最小回路構成図を示している。図１において、ＬＥＤ照明装置は、白色を発光する第１と第２と第３の白色ＬＥＤである白色ＬＥＤ１２ａ、１２ｂ、１２ｃと、それぞれ異なる色を発光する第１と第２と第３の色ＬＥＤである赤色ＬＥＤ９と緑色ＬＥＤ１０と青色ＬＥＤ１１と、第１の白色ＬＥＤ１２ａと赤色ＬＥＤ９とを直列に接続させた第１回路６と、第２の白色ＬＥＤ１２ｂと緑色ＬＥＤ１０とを直列に接続させた第２回路７と、第３の白色ＬＥＤ１２ｃと青色ＬＥＤ１１とを直列に接続させた第３回路８と、第１の白色ＬＥＤ１２ａと赤色ＬＥＤ９との電流を制御する第１の制御手段である可変抵抗器２と、第２の白色ＬＥＤ１２ｂと緑色ＬＥＤ１０との電流を制御する第２の制御手段である可変抵抗器３と、第３の白色ＬＥＤ１２ｃと青色ＬＥＤ１１との電流を制御する第３の制御手段である可変抵抗器４とを備える。
【００１９】
本実施例においては、一つのＬＥＤ素子で白色を発光する白色ＬＥＤ１２ａ、１２ｂ、１２ｃにより、全体を白く照明するとともに、白色ＬＥＤおよび色ＬＥＤの電流を各可変抵抗器で制御することで対象物の色をよりはっきりと見せるように調整することができるようにしている。
【００２０】
白色ＬＥＤ１２ａ、１２ｂ、１２ｃとしては、白色を発光するものであればよく、例えば、青色の発光ダイオードのチップを黄色などの蛍光体で覆った構造により白色を発光するＬＥＤや、紫色の発光ダイオードと蛍光体を使用して白色を発光するＬＥＤなどを利用できる。ここで、白色ＬＥＤとしては、一つの発光ダイオードを用いる場合を示すが、複数の色の発光ダイオードを利用して白色とするようにしてもよい。白色ＬＥＤ１２ａ、１２ｂ、１２ｃは、例えば、既存の白色のＬＥＤを３つ一緒に基板に表面実装させたパッケージをそのまま利用して、第１モジュール３０とすることができる。また、白色ＬＥＤ１２ａ、１２ｂ、１２ｃは、多角形状、円形状の基材に配列させるようにしてもよい。
【００２１】
赤色ＬＥＤ９と緑色ＬＥＤ１０と青色ＬＥＤ１１としては、それぞれ白以外の色を発光するものであればよいが、３原色の赤緑青としておくことで、対象物がどのような色であってもその色に対応させることができる。また、３原色により、赤色ＬＥＤ９と緑色ＬＥＤ１０と青色ＬＥＤ１１を組み合わせて近接配置させておくことで、全体として白色を発光させるようにできる。赤色ＬＥＤ９と緑色ＬＥＤ１０と青色ＬＥＤ１１は、例えば、既存のＲＧＢのＬＥＤを一緒に基板に表面実装させたパッケージをそのまま利用して、第２モジュール３１とすることができる。また、赤色ＬＥＤ９と緑色ＬＥＤ１０と青色ＬＥＤ１１ｃは、多角形状、円形状の基材に配列させるようにしてもよい。赤色ＬＥＤ９と緑色ＬＥＤ１０と青色ＬＥＤ１１ｃの各素子の照射方向が一つに集束するように配置させるようにすれば、各素子の点灯ドットを目立たなくさせることができる。また、本実施例においては、色ＬＥＤとしては、３つの異なる色を用いる場合を示すが、色ＬＥＤとして２つ備えて、対象物に合わせた色の色ＬＥＤとしておき、対象物の色をより鮮明に見せるように調整するようにしてもよい。この場合、２つの色ＬＥＤは、同じ色であってもよいし、異なる色でもよい。異なる色の場合、互いに補色となるような色（赤色と水色など）としておくことで、これらを組み合わせることで白色となるようにできる。
【００２２】
第１回路６では、第１の白色ＬＥＤ１２ａと赤色ＬＥＤ９とが直列に接続されており、第１回路６に、第１の制御手段である可変抵抗器２を接続しておく。可変抵抗器２を調整することで、第１の白色ＬＥＤ１２ａと赤色ＬＥＤ９に流れる電流を同時に調整でき、調整された電流量に応じて、第１の白色ＬＥＤ１２ａと赤色ＬＥＤ９の輝度が調整される。第１の白色ＬＥＤ１２ａと赤色ＬＥＤ９の輝度が同時に調整されるため、赤色だけでなく白色の輝度も合わせて調整できるので色むらを防ぐことができる。例えば、赤色の輝度を大きくした場合には、それに応じて第１の白色ＬＥＤ１２ａの輝度も大きくなる。第１の白色ＬＥＤ１２ａと赤色ＬＥＤ９とが直列に接続されているので電流量は同一となり、余分な電流を流さないため消費電力を削減することができる。また、第１の白色ＬＥＤ１２ａと赤色ＬＥＤ９とを別々に電流調整するよりも簡単に調整できる。
【００２３】
第２回路７では、第２の白色ＬＥＤ１２ｂと緑色ＬＥＤ１０とが直列に接続されており、第２回路７に、第２の制御手段である可変抵抗器３を接続しておく。可変抵抗器３を調整することで、第２の白色ＬＥＤ１２ｂと緑色ＬＥＤ１０に流れる電流を同時に調整でき、第２の白色ＬＥＤ１２ｂと緑色ＬＥＤ１０の輝度を同時に調整することで、緑色だけでなく白色の輝度も合わせて調整できるので色むらを防ぐことができる。例えば、緑色の輝度を小さくした場合には、それに応じて第２の白色ＬＥＤ１２ｂの輝度も小さくなる。第２の白色ＬＥＤ１２ｂと緑色ＬＥＤ１０とが直列に接続されているので電流量は同一となり、余分な電流を流さないため消費電力を削減することができる。また、第２の白色ＬＥＤ１２ｂと緑色ＬＥＤ１０とを別々に電流調整するよりも簡単に調整できる。
【００２４】
第３回路８では、第３の白色ＬＥＤ１２ｃと青色ＬＥＤ１１とが直列に接続されており、第３回路８に、第３の制御手段である可変抵抗器４を接続しておく。可変抵抗器４を調整することで、第３の白色ＬＥＤ１２ｃと青色ＬＥＤ１１に流れる電流を同時に調整でき、第３の白色ＬＥＤ１２ｃと青色ＬＥＤ１１の輝度を同時に調整することで、青色だけでなく白色の輝度も合わせて調整できるので色むらを防ぐことができる。例えば、青色の輝度を小さくした場合には、それに応じて第３の白色ＬＥＤ１２ｃの輝度も小さくなる。第３の白色ＬＥＤ１２ｃと青色ＬＥＤ１１とが直列に接続されているので電流量は同一となり、余分な電流を流さないため消費電力を削減することができる。また、第３の白色ＬＥＤ１２ｃと青色ＬＥＤ１１とを別々に電流調整するよりも簡単に調整できる。
第１回路６と、第２回路７と、第３回路８とは並列に接続され、電源入力端子１、１を介して入力される電力がそれぞれの回路に供給されることで、各ＬＥＤが点灯する。各回路を並列に接続することで、一つの回路内で断線したような場合でも、他の回路に影響を与えることなく電圧が供給されるので、他の回路の各ＬＥＤは発光し続けることができる。
【００２５】
可変抵抗器２、可変抵抗器３および可変抵抗器４により、電流可変制御回路５を構成することができる。電流可変制御回路５としては、例えば、既存の可変抵抗器を３つ備えたものを利用することができる。
【００２６】
本実施例におけるＬＥＤ照明装置では、電源入力端子１、１を介して電力を供給し、各ＬＥＤを点灯させ、可変抵抗器２、可変抵抗器３、可変抵抗器４をそれぞれ調整することで、白色ＬＥＤ１２ａ、１２ｂ、１２ｃと、赤色ＬＥＤ９と緑色ＬＥＤ１０と青色ＬＥＤ１１との輝度を調整する。具体的には、対象物に照射させて、対象物の色がより鮮明になるよう、可変抵抗器２、可変抵抗器３、可変抵抗器４をそれぞれ調整することができる。例えば、赤色の対象物であれば、赤色ＬＥＤ９を流れる電流をより大きくすることで、他の緑色ＬＥＤ１０と青色ＬＥＤ１１の輝度より赤色ＬＥＤ９の輝度を上げるように、可変抵抗器２を調整することで、赤色がより鮮明に見えるようにできる。これにより、対象物に対応した映える色を照射することができ、演色性をより高めることができる。赤緑青の３原色を備えることにより、対象物がどのような色であっても適切な色調整を施すことができる。
【００２７】
つぎに、図２を参照して、実施例におけるＬＥＤ照明装置の最小回路構成図の他の例を説明する。図２においては、図１に示した最小回路構成における第１回路６と、第２回路７と、第３回路８のそれぞれに電流制限ダイオード１３を追加している。電流制限ダイオード１３により、所定値以上の電流が流れるのを制限するので、各ＬＥＤに過電流が流れるのを防止することができ、ＬＥＤの損傷を防ぐことができる。
【００２８】
つぎに、図３を参照して、実施例におけるＬＥＤ照明装置の回路を複数設けた場合の回路構成例を説明する。図３においては、図１に示した最小回路構成における第１回路６と、第２回路７と、第３回路８とをそれぞれ複数直列に接続し、また、複数のＬＥＤを点灯させるための負荷が大きくなったことに対応するために、大電流が流せるようにトランジスタ１５と抵抗１４を各回路にそれぞれ設けている。トランジスタ１５のベース電流を可変抵抗器２、可変抵抗器３、可変抵抗器４によりそれぞれ制御している。第１回路６を複数直列に接続させて可変抵抗器２により電流を制御することで、複数の第１の白色ＬＥＤ１２ａと複数の赤色ＬＥＤ９とを、同時に制御することができ、同一の電流を流すことができるので、輝度むらを防ぐことができる。第２回路７を複数直列に接続させて可変抵抗器３により電流を制御することで、複数の第２の白色ＬＥＤ１２ｂと複数の緑色ＬＥＤ１０とを、同時に制御することができ、同一の電流を流すことができるので、輝度むらを防ぐことができる。同様に、第３回路８を複数直列に接続させて可変抵抗器４により電流を制御することで、複数の第３の白色ＬＥＤ１２ｃと複数の青色ＬＥＤ１１とを、同時に制御することができ、同一の電流を流すことができるので、輝度むらを防ぐことができる。トランジスタ１５を用いることで各回路のＬＥＤを点灯させるのに必要な電流を流すことができる。このように、各回路を複数設けることで、より大きな照明装置を構成することができる。
【００２９】
この場合、トランジスタ１５のベースの電流を外部から制御するようにしてもよい。この場合の接続例を図６を参照して説明する。図６は、図３に示す回路構成での接続例を示している。図６においては、図３に示すような構成の照明装置１９を外部からコントロールできる外部制御器１８を備えている。また、可変抵抗器２、可変抵抗器３、可変抵抗器４の抵抗値を外部から指示できるように、ベース電流制御器１７を設けている。ベース電流制御器１７のそれぞれには可変抵抗器を内蔵しており、外部制御器１８からの指示により電流量が制御できるように構成されている。このように構成することにより、照明装置１９のトランジスタ１５のベース電流を、外部制御器１８により外部からそれぞれコントロールすることができる。
【００３０】
また、トランジスタ１５のベースの電流を外部から制御する場合の接続例の他の例を、図７を参照して説明する。図７は、図３に示す回路構成において、さらに、色相をコントロールできるように構成した場合の接続例を示している。図７においては、図３に示すような構成の照明装置１９を外部からコントロールできる色相コントローラ２１と色相をあらかじめ設定しておく色相設定器２２を備え、可変抵抗器２、可変抵抗器３、可変抵抗器４の抵抗値を外部から指示できるように、ベース電流制御器１７を設けている。また、各回路に流れる電流の大きさを検出する電流検出器２０をそれぞれ備えている。電流検出器２０で検出された電流の大きさは、色相コントローラ２１にそれぞれ入力され、色相コントローラ２１では入力された電流の大きさに基づいて、さらに各回路に流れる電流の大きさを調整することができる。色相設定器２２は、照明装置１９の全体から発せられる色相を設定するものあり、白色ＬＥＤ１２ａ、１２ｂ、１２ｃと赤色ＬＥＤ９と緑色ＬＥＤ１０と青色ＬＥＤ１１とからそれぞれ発せられる光を合成した光の色相を設定できる。例えば、合成したい色相を設定しておき、それに対応した各回路のＬＥＤの色度をそれぞれ決定しておくことで、そのＬＥＤに流れる電流量を設定することができる。この場合、色相設定器２２に備えるディスプレイに色相見本を表示しておき、色相見本から合成したい色相を指示することにより設定できる。また、例えば、特定の色の色度の増減を色相設定器２２により設定することで、残りの色については設定された色の色度に連動して特定できるように設定しておいてもよい。図４にはｘｙ色度図を示している。図４において、ほぼ中央の点（ホワイト）が白色部分に対応し、Ｒ−Ｗ（赤色ＬＥＤ９−第１の白色ＬＥＤ１２ａ）  、Ｇ−Ｗ（緑色ＬＥＤ１０−第２の白色ＬＥＤ１２ｂ）、Ｂ−Ｗ（青色ＬＥＤ１１−第３の白色ＬＥＤ１２ｃ）の各ベクトルの合成によりＬＥＤ照明装置全体から発せられる色が決定されることを示している。また、各色の色度から輝度が決定され、第１回路６、第２回路７、第３回路８のそれぞれの電流量は色度に応じて決定される輝度から設定される。例えば、色相設定器２２で赤色を強調させるように設定した場合、第１回路６の電流を増加させるように、色相コントローラ２１がベース電流制御器１７に指示し、ベース電流制御器１７では指示に応じて第１回路６の電流を増加させる。電流検出器２０では第１回路６に流れる電流を検出し、色相コントローラ２１にフィードバックする。色相コントローラ２１ではその増加分の量に応じて、第２回路７、第３回路８に流れる電流を均等に減少させるように制御することができる。このように構成することにより、照明装置１９のトランジスタ１５のベース電流を、色相コントローラ２１および色相設定器２２により色相に応じて外部からそれぞれコントロールすることができる。
【００３１】
また、第１回路６、第２回路７、第３回路８の各回路は、図５に示すように、それぞれ多数設けるようにしてもよい。この場合、図８に示すように、第１モジュール３０と、第２モジュール３１とを交互に配置するようにできる。図８には、ＬＥＤ照明装置のモジュール配置図を示しており、実際に各モジュールを基板上に配置した場合の外観を示している。図８に示すように、既存のＬＥＤを実装させたパッケージを、そのまま各モジュールとして利用する場合、既存の白色のＬＥＤを３つ一緒に基板に表面実装させたパッケージを第１モジュール３０として利用し、既存のＲＧＢのＬＥＤを一緒に基板に表面実装させたパッケージを第２モジュール３１として利用し、基板上に第１モジュール３０と、第２モジュール３１とを交互に配置し、各モジュールの端子をそれぞれ接続することで構成できる。本実施例におけるＬＥＤ照明装置１９は、第１のモジュール３０と第２のモジュール３１とを交互に配置させることで、輝度むらと、色むらの発生をより抑制することができる。
【００３２】
以上、本実施例におけるＬＥＤ照明装置にあっては、少なくとも、白色を発光する白色ＬＥＤ１２ａ、１２ｂと、白色以外の色を発光する赤色ＬＥＤ９と緑色ＬＥＤ１０と、白色ＬＥＤ１２ａと赤色ＬＥＤ９との電流を制御する可変抵抗器２と、白色ＬＥＤ１２ｂと緑色ＬＥＤ１０との電流を制御する可変抵抗器３とを備えるので、可変抵抗器２により、白色ＬＥＤ１２ａと赤色ＬＥＤ９との電流を一緒に制御することができ、また、可変抵抗器３により、白色ＬＥＤ１２ｂと緑色ＬＥＤ１０との電流を一緒に制御することができる。これにより、白色ＬＥＤ１２ａおよび赤色ＬＥＤ９の輝度調整と、白色ＬＥＤ１２ｂと緑色ＬＥＤ１０の輝度調整とをそれぞれ行うことができるので、色むらの発生を抑制することができる。例えば、白色ＬＥＤ１２ａと赤色ＬＥＤ９に同一の電流を流すことで輝度むらの発生を抑制することができ、白色ＬＥＤ１２ｂと緑色ＬＥＤ１０に同一の電流を流すことで輝度むらの発生を抑制することができる。白色ＬＥＤと色ＬＥＤとを連動させて電流調整するため、色ＬＥＤのみの電流を制御するのに比べて、輝度を確保でき、明るさを落とさずに色合いを変化させることができまた、例えば、同一の電流を流すことで消費電流を低減させることができる。また、可変抵抗器２、可変抵抗器３により、赤色ＬＥＤ９、緑色ＬＥＤ１０のそれぞれの電流を調整することができるので、赤色ＬＥＤ９、緑色ＬＥＤ１０の輝度をそれぞれ調整でき、対象物の色をよりはっきりと見せるように調整することができる。例えば、対象物が赤色のりんごの場合には、赤色ＬＥＤ９の輝度をより大きくし、より赤色が鮮明に見えるように可変抵抗器２と可変抵抗器３を調整することができる。これにより、対象物に対応した映える色を照射することができ、演色性をより高めることができる。
【００３３】
本実施例におけるＬＥＤ照明装置にあっては、赤色ＬＥＤ９と緑色ＬＥＤ１０のように、異なる色をそれぞれ発光するので、可変抵抗器２、可変抵抗器３により、赤色ＬＥＤ９、緑色ＬＥＤ１０のそれぞれの電流を調整することができるので、赤色ＬＥＤ９、緑色ＬＥＤ１０の輝度をそれぞれ調整でき、対象物の色をより鮮明に見せるように調整することができる。例えば、赤色ＬＥＤ９と、緑色ＬＥＤ１０とは、照明する対象物の色に応じるように、これら以外の別の色を用いてもよい。
【００３４】
本実施例におけるＬＥＤ照明装置にあっては、赤色ＬＥＤ９と緑色ＬＥＤ１０と青色ＬＥＤ１１とを組み合わせることにより白色となるので、白色系の色調整を行うことができたが、互いに補色となる２つの色のＬＥＤのみを利用するようにしてもよい。例えば、補色関係にある赤色ＬＥＤ９と水色ＬＥＤとを組み合わせることで白色となるようにできる。また、補色関係にある青色ＬＥＤ１１と黄色ＬＥＤとを組み合わせることで白色となるようにしてもよい。これにより、白色系の色調整を行うことができる。このように、白色ＬＥＤ１２ａ・白色ＬＥＤ１２ｂに加えて、赤色ＬＥＤ９および水色ＬＥＤ、または、青色ＬＥＤ１１および黄色ＬＥＤにより白色となるように構成すれば、白色ＬＥＤ１２ａ・白色ＬＥＤ１２ｂのみ設ける場合に比べてより帯域の広い、演色性に優れた良質な照明装置とすることができる。
【００３５】
本実施例におけるＬＥＤ照明装置にあっては、白色ＬＥＤ１２ａと赤色ＬＥＤ９とを直列に接続させた第１回路６と、白色ＬＥＤ１２ｂと緑色ＬＥＤ１０とを直列に接続させた第２回路７とを備え、第１回路６と第２回路７とは並列に接続されているので、可変抵抗器２、可変抵抗器３のそれぞれは、これらの回路の電流制御を簡単に行うことができる。また、第１回路６と第２回路７とを並列に接続させることで、同一の電圧源に接続することができる。また、各回路を並列に接続することで、一つの回路内で断線したような場合でも、他の回路に影響を与えることなく電圧が供給されるので、他の回路の各ＬＥＤは発光し続けることができる。
【００３６】
本実施例におけるＬＥＤ照明装置にあっては、第１回路６を複数備え、当該複数の第１回路６を直列に接続させ、第２回路７を複数備え、当該複数の第２回路７を直列に接続させるので、より大きな照明装置を構成することができる。複数の第１回路６を直列に接続させるため、可変抵抗器２は、これらの回路の電流制御を簡単に行うことができ、また、複数の第２回路７を直列に接続させるため、可変抵抗器３は、これらの回路の電流制御を簡単に行うことができる。
【００３７】
本実施例におけるＬＥＤ照明装置にあっては、白色ＬＥＤ１２ａと白色ＬＥＤ１２ｂとを実装する第１のモジュール３０と、赤色ＬＥＤ９と緑色ＬＥＤ１０とを実装する第２のモジュール３１とを備えるので、例えば既存のＬＥＤを実装させたパッケージを、そのまま各モジュールとして利用することができる。例えば、第１のモジュール３０としては、白色ＬＥＤを少なくとも２つ備えるパッケージを利用することができ、第２のモジュール３１としては、赤色ＬＥＤと緑色ＬＥＤを少なくとも備えるパッケージを利用することができる。
【００３８】
本実施例におけるＬＥＤ照明装置にあっては、第１モジュール３０および第２のモジュール３１を複数備えることで、より大きな照明装置を簡単に構成することができる。また、第１のモジュール３０と第２のモジュール３１とを交互に配置させることで、輝度むらと、色むらの発生をより抑制することができる。例えば、第１のモジュール３０と第２のモジュール３１とを異なる白色を発生させるＬＥＤモジュールとすることで、同一のモジュールを複数設ける場合に比べてより帯域の広い、演色性に優れた良質な照明装置とすることができる。
【００３９】
本実施例におけるＬＥＤ照明装置にあっては、白色を発光する第３の白色ＬＥＤ１２ｃと、白色以外の色を発光する青色ＬＥＤ１１と、白色ＬＥＤ１２ｃと青色ＬＥＤ１１との電流を制御する可変抵抗器４とをさらに備えることで、白色ＬＥＤ１２ｃと青色ＬＥＤ１１との電流を一緒に制御することができるので、例えば、白色ＬＥＤ１２ｃと青色ＬＥＤ１１に同一の電流を流すことで輝度むら、色むらの発生を抑制することができる。
【００４０】
本実施例におけるＬＥＤ照明装置にあっては、赤色ＬＥＤ９と緑色ＬＥＤ１０と青色ＬＥＤ１１を組み合わせることにより白色となるので、白色系の色調整を行うことができる。赤緑青（ＲＧＢ）の３原色のＬＥＤを利用することで、対象物がどのような色であっても適切な色調整を施すことができる。また、白色ＬＥＤ１２ｃと青色ＬＥＤ１１とを直列に接続させた第３回路８を備え、第１回路６と第２回路７と第３回路８とは並列に接続させるようにしてもよい。さらに、白色ＬＥＤ１２ｃと青色ＬＥＤ１１とを直列に接続させた第３回路８を複数備え、当該複数の第３回路８を直列に接続させ、第１回路６と第２回路７と第３回路８とは並列に接続させるようにしてもよい。さらに、第２のモジュールとしては、青色ＬＥＤ１１を備えるようにしてもよい。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
本発明の実施例におけるＬＥＤ照明装置は、例えば、寿司皿等の飲食物容器を飲食客に対して搬送する飲食物循環搬送装置の上部に設けられ、飲食物循環搬送装置により搬送される寿司を照明するために用いられるようにできる。飲食物を照らす場合には、ＬＥＤ照明装置は、紫外線、赤外線がほとんどないことから飲食物の退色や劣化の進行をおくらせることができる。本実施例におけるＬＥＤ照明装置によれば、色度範囲を自由に変化させ天然色に近い色彩を照射でき、また、任意の色合いのみを強調させることもでき、例えば赤みの魚の食材をより赤く映える照明にすると共に輝度を確保することができる。
【００４３】
また、上記実施例においては、電流を制御する制御手段として可変抵抗器を用いた場合を示したが、電流を制御できるものであれば、それ以外の構成としてもよい。
【符号の説明】
【００４４】
１                        電源入力端子
２，３，４                可変抵抗器
５                        電流可変制御回路
６                        第１回路
７                        第２回路
８                        第３回路
９                        赤色ＬＥＤ
１０                      緑色ＬＥＤ
１１                      青色ＬＥＤ
１２ａ，１２ｂ，１２ｃ      白色ＬＥＤ
１３                      電流制限ダイオード
１４                      抵抗
１５                      トランジスタ
３０                      第１モジュール
３１                      第２モジュール
【図１】
2012181942.tif 000003
【図２】
2012181942.tif 000004
【図３】
2012181942.tif 000005
【図４】
2012181942.tif 000006
【図５】
2012181942.tif 000007
【図６】
2012181942.tif 000008
【図７】
2012181942.tif 000009
【図８】
2012181942.tif 000010